(57)【要約】【課題】引出しの動きに伴ってカゴが移動することを規制するキャビネットを提供する。【解決手段】引出し１０は、カゴ５０を載置する底板１１と、底板１１の前部に取り付けられ底板に載置されるカゴの前方を覆う前板１２と、を備え、前板１２の裏面に、底板１１に載置されたカゴ５０を係止してカゴの移動を規制する係止部材７０が設けられている。係止部材７０は、底板１１に載置されたカゴ５０の側部５０Ａの最下位置にある横材５２を下方から係止する。【選択図】図２
2009106384.tif 000002
【特許請求の範囲】
【請求項１】
引出しを備えたキャビネットであって、
上記引出しは、カゴを載置する底板と、底板の前部に取り付けられ該底板に載置されるカゴの前方を覆う前板と、を備え、
上記前板の裏面に、上記底板に載置されたカゴを係止して該カゴの移動を規制する係止部材が設けられていることを特徴とする、キャビネット。
【請求項２】
前記カゴの側部は、所定の間隔で並設された棒状の縦材と、所定の間隔で並設された棒状の横材と、から格子状に形成されており、
前記係止部材は、前記底板に載置された前記カゴの最下位置にある横材を下方から係止することを特徴とする、請求項１に記載のキャビネット。
【発明の詳細な説明】
【技術分野】
【０００１】
本発明は、カゴ収納室として使用可能な引出しを備えたキャビネットの構造に係り、特に引出しを手前に引いて開ける際にカゴが引出しの底板上を移動することを規制するキャビネットに関するものである。
【背景技術】
【０００２】
図４に公知のキャビネット１００を示す。このキャビネット１００は例えば洗面所のフロアＦＬに載置され、高さ方向の中間位置から下側に３つの引出し１１０，１２０，１３０を備えている。一番下の引出し１１０は、上方の二つの引出し１２０，１３０よりもその前板１１１の裏側の空間が大きく画成されて、脱いだ衣類を入れるカゴを収容する脱衣カゴ収納室として使用の便に供せられる。
【０００３】
この種のカゴを収納可能なキャビネットが特許文献１，２に開示されている。
特許文献１には、脱衣カゴ収納室に脱衣カゴを車輪によって出し入れ自在に配設し、この脱衣カゴの前板の上面側が脱衣投入用の開口として形成されたキャビネットが開示されている。
特許文献２には、引出しにカゴを着脱自在に収納するキャビネットが開示されている。
【特許文献１】特開２００２−３６０３５６号公報
【特許文献２】特開２００４−１８０８８５号公報
【発明の開示】
【発明が解決しようとする課題】
【０００４】
上述したキャビネット１００内からカゴを取り出す際、カゴ収納室としての引出し１１０をキャビネット１００から引き出す勢いが強いと、図５（Ａ）に示すようにカゴ１５０が引出し１１０の底板１１２上を摺動して所定の取出位置から矢印Ａ方向へ移動するおそれがある。この場合、カゴ１５０は、その奥側部分がキャビネットを構成する横桟部材としての横板（図示省略）で上方を遮られるため、そのまま持ち上げることができない。そのため、前側の取出位置へカゴを移動させなければならなかった。また、引出し１１０を引き出す勢いが強すぎると、図５（Ｂ）に示すように、カゴが倒れるおそれもある。
【０００５】
本発明は以上の点に課題に鑑みて、引出しの動きに伴ってカゴが移動することを規制するキャビネットを提供することを目的とする。
【課題を解決するための手段】
【０００６】
上記目的を達成するため、本発明のキャビネットは、引出しを備え、この引出しは、カゴを載置する底板と、底板の前部に立設され該底板に載置されたカゴの前方を覆う前板と、を備え、前板の裏面に、上記底板に載置されたカゴを係止して該カゴの移動を規制する係止部材が設けられていることを特徴としている。
【０００７】
本発明のキャビネットにおいて、前記カゴの側部は、所定の間隔で並設された棒状の縦材と、所定の間隔で並設された棒状の横材と、から格子状に形成されており、前記係止部材は、前記底板に載置された前記カゴの最下位置にある横材を下方から係止することを特徴としている。
【発明の効果】
【０００８】
本発明によれば、引出しの出し入れに伴ってカゴが引出しの底板上を移動しようとしても、前板の裏面から突出した係止部材が、例えばカゴの側部に係合している。よって、カゴが引出しの底板上を移動することが規制される。これにより、例えば、引出しを開けた際、引き出す勢いによってカゴが所定の取出位置から後方へずれたり、或いは後方へ転倒したりしてカゴが取り出し難くなることを防止できる。
【発明を実施するための最良の形態】
【０００９】
図１は本発明の実施形態に係るキャビネット１を示す斜視図である。
このキャビネット１は横幅よりも高さ方向に長く形成され上下方向に画成された複数の収納部を備えており、例えば洗面所のフロアＦＬに載置されてランドリーキャビネットとしての使用に供されるものである。このキャビネット１は、高さ方向の中間程度の位置から下側が複数の引出し１０，２０，３０を備えた収納部として、上側が扉４０で開閉可能な収納部として構成されている。なお、扉４０は、図示省略する蝶番によってキャビネット本体２に開閉可能に支持されている。
【００１０】
キャビネット１に備えられた３つの引出し１０，２０，３０の内、最下段の引出し１０は、上に配設される２つの引出し２０，３０よりも収納空間が大きく構成されて、脱いだ衣類を入れる脱衣カゴを収容するためのカゴ収納室として使用し得るようになっている。
【００１１】
図２は、引出し１０と、この引出し１０に載置されたカゴ５０とを示す正面図であり、図３は側面図である。なお、図では引出し１０の前板を二点鎖線で示している。
【００１２】
引出し１０は、図に示すように、カゴ５０が載置される底板１１と、この底板１１の前部に取り付けられ、鉛直上方に延びてカゴ５０の前方を覆う前板１２と、を備えている。この引出し１０は、スライドレール６０を介してキャビネット本体２に支持されている。スライドレール６０は、底板１１の両端にそれぞれ取り付けられた第１のレール６１，６１と、この第１のレール６１を摺動可能に支持する第２のレール６２と、この第２のレール６２を摺動可能に支持する第３のレール６３と、から構成されている。第３のレール６３は、キャビネット本体２を構成する側壁２Ａの内壁面に取り付けられている。
【００１３】
カゴ５０は、上方が開放した直方体型に構成されている。具体的には、カゴ５０は、矩形状の底部と、この底部の四辺からそれぞれ上方へ起立した側部とからなる。隣り合う側部の縁部同士は、例えば接合されている。このカゴを構成する各側部は、図２に示すように、所定の間隔で並設された複数の棒状の縦材５１と、所定の間隔で並設された複数の棒状の横材５２と、から格子状に形成されており、縦材５１と横材５２とは交差する部位が一体に繋げられている。なお、各側部の上縁にそって、補強用の枠材５３が取り付けられており、この枠材５３の左右の縁部には把手部５４の端部を支持する取付部５５が構成されている。底部には下方へ突出した足部５８が設けられている。なお、カゴ正面を成す側部５０Ａは、図２に示すように、縦材５１を９本、横材５２を２本備えており、左側面を成す側部５０Ｂは、図３に示すように、縦材を１１本と、横材を２本備えている。
【００１４】
さらに、本実施形態では、前板１２の裏面１２Ａに、底板１１に載置されたカゴ５０の移動を規制する係止部材７０が設けられていることを特徴としている。図示例では、係止部材７０は、カゴ５０が底板１１に載置された状態で、カゴ正面を成す側部５０Ａにおける最下位置に配設されている横材５２に対応した、前板裏面における位置に設けられている。
【００１５】
さらに、本実施形態の係止部材７０は、当該横材５２を下方から係止する鉤部（以下、鉤部に符号７０を付す）７０で成る。具体的には、鉤部７０は、前板１２の裏面１２Ａに固着される固定部７１と、この固定部７１から後方へ水平に延出した水平部７２と、この水平部７２の先端から上方へ延出した鉛直部７３と、から構成されている。なお、水平部７２と鉛直部７３とは、例えば、一本の棒状の部材を折り曲げて構成されている。
【００１６】
本実施形態では、図２に示すように、前板１２の裏面１２Ａに、鉤部７０が二つ設けられている。
具体的には、図２における左側の鉤部７０は、カゴ正面を成す側部５０Ａにおける左から１番目と２番目の縦材（他の縦材と区別するために、符号５１Ａ，５１Ｂを付す）５１Ａ，５１Ｂの間で最も下の位置に配設されている横材５２を下から係止するよう、前板１２の裏面１２Ａに取り付けられている。
一方、右側の鉤部７０は、側部５０Ａにおける左から８番目と９番目の縦材（他の縦材と区別するために、符号５１Ｃ，５１Ｄを付す）５１Ｃ，５１Ｄの間で最も下の位置に配設されている横材５２を下から係止するよう、前板１２の裏面１２Ａに取り付けられている。
【００１７】
このように構成されたキャビネット１の引出し１０にカゴ５０を入れる際、ユーザーは、図２及び図３に示すように、側部５０Ａにおける最下位置にある横材５２が鉤部７０の鉛直部７３と前板１２の裏面１２Ａとの間に配設されるように、カゴ５０を引出し１０の底板１１上に置く。このようにカゴ５０が底板１１上に載置された状態でユーザーが勢いよく引出し１０を開閉した場合、その開閉動作に伴ってカゴ５０にも力が作用し、カゴ５０が引出し１０の底板１１上を摺動しようとする。例えば、引出し１０を勢いよく引き出した場合、カゴ５０は底板１１の所定の取出位置から後方へずれた位置に移動しようとする。しかし、本実施形態では、鉤部７０がカゴ５０の横材５２に係合してカゴ５０は係止される。
【００１８】
このように、本実施形態に係るキャビネット１によれば、引出し１０を開けた際、引き出す勢いによってカゴ５０が底板１１上を摺動して所定の取出位置からずれることが規制される。よって、引出し１０を開けたときカゴ５０が常に所定の取出位置に配置されるため、従来のキャビネット１００のように取出位置からずれたカゴ１５０を前側に移動させる等の手間を省ける。
【００１９】
さらに、本実施形態では、鉤部７０が、カゴ５０の側部５０Ａにおける最下位置にある横材５２を下方から係合するように前板裏面に設けられているので、引出し１０を開けてカゴ５０をそのまま上に持ち上げても、鉤部７０がカゴ５０と干渉しない。そのため、ユーザーはカゴ５０を容易に取り出すことができる。
【００２０】
以上説明したが、本発明はその趣旨を逸脱しない範囲において様々な形態で実施をすることができる。
係止部材の配設位置は上記説明例に限定されるものではない。
また、鉤部は、横材を上方から係止するように構成されてもよい。
さらに、カゴの構成や形状は上記説明及び図示例に限定されるものではなく、複数の線状の部材を組み合わせて構成されるものに限らず、薄鉄板に複数の通気穴を設けて箱形に形成し、その側部に係止部材によって係止される環状の部材を設けて構成されてもよい。また、カゴの材質は、鋼材、熱可塑性の合成樹脂、或いは、木や竹製の線状部材などであってもよい。
さらに、上記キャビネットは、洗面化粧室に設けるランドリーキャビネットに限らず、キッチンで使用されるカウンターを載せるベースキャビネットなどであってもよい。
また、上記説明では係止部材が設けられる引出しの位置がキャビネットの最下部であったが、係止部材を備えた引出しが設けられる高さ位置は、キャビネットの下部領域に限らず、キャビネットにおける高さ中間領域或いは上部領域であってもよい。
さらに、本発明の係止部材は、上記説明における鉤部に限定されるものではなく、カゴ５０を構成する縦材或いは横材を引っかける突起や凸部を備えたものであればよい。
本発明に係る引出しは、図５に示す従来の引出し１１０のように、前板１１１と底板１１２とに固着した補強部材１２０を備えていてもよい。
【図面の簡単な説明】
【００２１】
【図１】本発明の実施形態に係るキャビネットの斜視図である。
【図２】本発明の実施形態に係る引出しと、この引出しに載置されたカゴを示す正面図である。
【図３】本発明の実施形態に係る引出しと、この引出しに載置されたカゴを示す側面図である。
【図４】従来のキャビネットを示す図である。
【図５】従来のキャビネットにおける引出しと、この引出しに載置されたカゴを示す側面図である。
【符号の説明】
【００２２】
１  キャビネット
２  キャビネット本体
１０，２０，３０  引出し
１１  底板
１２  前板
１２Ａ  裏面
４０  扉
５０  カゴ
５０Ａ，５０Ｂ  側部
５１  縦材
５２  横材
５３  枠材
５４  把手部
５５  取付部
５５Ａ  線材
６０  スライドレール
６１  第１のレール
６２  第２のレール
６３  第３のレール
７０  鉤部（係止部材）
【図１】
2009106384.tif 000003
【図２】
2009106384.tif 000004
【図３】
2009106384.tif 000005
【図４】
2009106384.tif 000006
【図５】
2009106384.tif 000007